(57)【要約】【課題】発電プラントで発生する余剰エネルギを複数の異なる温度域で効率よく貯蔵、利用する技術を提供する。【解決手段】内部に設けられた流路を通過する流体から熱を回収して蓄積する複数の蓄熱部を有する蓄熱装置１４０であって、第一温度域に温度特性を持つ第一蓄熱部と、第一温度域より低い温度域である第二温度域に温度特性を持つ第二蓄熱部と、流入する流体を、第一蓄熱部、第二蓄熱部の順に通過させる第一流路２４１と、流入する流体を、第一蓄熱部をバイパスして第二蓄熱部を通過させる第二流路２４２と、第一流路２４１上に設けられる第一開閉弁２５１と、第二流路２４２上に設けられる第二開閉弁２５２と、を備え、第一開閉弁２５１は、流体の温度が第一温度閾値以上である場合、開状態となり、第二開閉弁２５２は、流体の温度が第一温度閾値未満である場合開状態となることを特徴する。【選択図】図３
2020125857.tif 000002
【特許請求の範囲】
【請求項１】
内部に設けられた流路を通過する流体から熱を回収して蓄積する複数の蓄熱部を有する蓄熱装置であって、
前記蓄熱部は、
第一温度域に温度特性を持つ第一蓄熱部と、
前記第一温度域より低い温度域である第二温度域に温度特性を持つ第二蓄熱部と、を備え、
前記流路は、
当該蓄熱装置に流入する前記流体を、前記第一蓄熱部、前記第二蓄熱部の順に通過させて当該蓄熱装置から排出する第一流路と、
前記第一流路の前記第一蓄熱部の上流の第一分岐部で分岐し、当該蓄熱装置に流入する前記流体を、前記第一蓄熱部をバイパスして前記第二蓄熱部を通過させて当該蓄熱装置から排出する第二流路と、
前記流路への前記流体の流入を制御する開閉弁と、を備え、
前記開閉弁は、
前記第一流路上に設けられ、前記第一蓄熱部への前記流体の流入を制御する第一開閉弁と、
前記第二流路上に設けられ、前記第二蓄熱部への前記流体の流入を制御する第二開閉弁と、を備え、
前記第一開閉弁は、前記流体の温度が前記第一温度域により定められた第一温度閾値以上である場合、開状態となり、
前記第二開閉弁は、前記流体の温度が前記第一温度閾値未満である場合開状態となること
を特徴とする蓄熱装置。
【請求項２】
請求項１記載の蓄熱装置であって、
前記開閉弁は、前記第二流路の前記第二開閉弁の下流の第二分岐部の下流に設けられる第三開閉弁をさらに備え、
前記第二分岐部からは、前記第二流路に流入する前記流体を、前記第二蓄熱部をバイパスして排出するバイパス流路であって、バイパス開閉弁を有するバイパス流路が分岐し、
前記第三開閉弁は、前記流体の温度が前記第二温度域により定められた第二温度閾値以上である場合、開状態となり、
前記バイパス開閉弁は、前記流体の温度が前記第二温度閾値未満である場合、開状態となること
を特徴とする蓄熱装置。
【請求項３】
内部に設けられた流路を通過する流体から熱を回収して蓄積する複数の蓄熱部を有する蓄熱装置であって、
前記蓄熱部は、
第一温度域に温度特性を持つ第一蓄熱部と、
前記第一温度域より低い温度域である第二温度域に温度特性を持つ第二蓄熱部と、を備え、
前記流路は、
当該蓄熱装置に流入する前記流体を、前記第一蓄熱部を通過させて当該蓄熱装置から排出する第一流路と、
前記第一流路の前記第一蓄熱部の上流の第一分岐部で分岐し、当該蓄熱装置に流入する前記流体を、前記第二蓄熱部を通過させて当該蓄熱装置から排出する第二流路と、
前記流路への前記流体の流入を制御する開閉弁と、を備え、
前記開閉弁は、
前記第一流路上に設けられ、前記第一蓄熱部への前記流体の流入を制御する第一開閉弁と、
前記第二流路上に設けられ、前記第二蓄熱部への前記流体の流入を制御する第二開閉弁と、を備え、
前記第一開閉弁は、前記流体の温度が前記第一温度域により定められた第一温度閾値以上である場合、開状態となり、
前記第二開閉弁は、前記流体の温度が前記第一温度閾値未満である場合開状態となること
を特徴とする蓄熱装置。
【請求項４】
請求項３記載の蓄熱装置であって、
前記第二開閉弁は、前記流体の温度が前記第一温度閾値未満であっても、前記第二温度域により定められた第二温度閾値未満である場合、閉状態となり、
前記流体の温度が前記第二温度閾値未満である場合、前記第一分岐部で分岐するバイパス流路であって、前記流体を、前記第一蓄熱部および前記第二蓄熱部をバイパスして流すバイパス流路上に設けられたバイパス開閉弁が開状態となること
を特徴とする蓄熱装置。
【請求項５】
請求項３記載の蓄熱装置であって、
前記蓄熱部は、前記第二温度域に温度特性を持つ第四蓄熱部をさらに備え、
前記第一流路は、前記第一蓄熱部を通過させた流体を、前記第四蓄熱部をさらに通過させて当該蓄熱装置から排出すること
を特徴とする蓄熱装置。
【請求項６】
請求項３記載の蓄熱装置であって、
前記第一流路は、前記第一蓄熱部を通過させた流体を、前記第二蓄熱部をさらに通過させて当該蓄熱装置から排出すること
を特徴とする蓄熱装置。
【請求項７】
請求項１から６いずれか１項記載の蓄熱装置であって、
前記蓄熱部は、物質の相変態潜熱を利用した潜熱蓄熱材を含み、
前記温度特性は、前記潜熱蓄熱材の融解温度に基づいて決定されること
を特徴とする蓄熱装置。
【請求項８】
供給された水を加熱して過熱蒸気を生成するボイラと、
前記ボイラで過熱した過熱蒸気により回転駆動され、発電機を駆動する蒸気タービンと、
前記蒸気タービンからの排気蒸気を水にもどして前記ボイラに供給する給水ラインと、を備える発電プラントにおいて、
前記ボイラで生成した過熱蒸気のうち、余剰分の熱エネルギを蓄積する蓄熱装置を備え、
前記蓄熱装置は、請求項１から７いずれか１項記載の蓄熱装置であり、
前記蓄熱装置に蓄積された熱エネルギは、当該発電プラントの運転時に用いられること
を特徴とする発電プラント。
【請求項９】
請求項８記載の発電プラントにおいて、
前記運転は、系統遮断後の系統復帰運転を含み、
前記蓄熱装置に蓄積された熱エネルギは、前記温度域毎に当該蓄熱装置から回収されること
を特徴とする発電プラント。
【請求項１０】
請求項８記載の発電プラントであって、
前記蒸気タービンは、高圧蒸気タービンと、中低圧蒸気タービンとを備え、
前記ボイラは、前記高圧蒸気タービンを回転駆動後の蒸気を再加熱する再熱器を備え、
前記給水ラインは、前記蒸気タービンで仕事を終えた蒸気を凝縮して水として貯留する復水器を備え、
前記発電プラントは、
前記再熱器で再加熱した蒸気を、前記中低圧蒸気タービンをバイパスして前記復水器に導くタービンバイパス管と、
前記開閉弁の開閉を制御する制御装置と、を備え、
前記蓄熱装置は、前記タービンバイパス管上に配置され、
前記制御装置は、前記タービンバイパス管内の蒸気温度に応じて、前記開閉弁の開閉を制御すること
を特徴とする発電プラント。
【請求項１１】
請求項１０記載の発電プラントであって、
前記ボイラは、
前記水を加熱し、水−蒸気２相流体を生成する火炉と、
前記火炉で過熱された水−蒸気２相流体を飽和蒸気と飽和水とに分離する汽水分離器と、を備え、
前記発電プラントは、
前記汽水分離器で生成された前記飽和水を、前記復水器に導く第一配管、を備え、
前記蓄熱装置には、前記第一配管からさらに前記飽和水が供給されること
を特徴とする発電プラント。
【請求項１２】
請求項１０記載の発電プラントであって、
前記ボイラは、
前記水を加熱し、水−蒸気２相流体を生成する火炉と、
前記火炉で過熱された水−蒸気２相流体を飽和蒸気と飽和水とに分離する汽水分離器と、を備え、
前記発電プラントは、
請求項１から７いずれか１項記載の蓄熱装置である第二蓄熱装置と、
前記汽水分離器で生成された前記飽和水を、前記復水器に導く第一配管と、を備え、
前記第二蓄熱装置は、前記第一配管上に配置されること
を特徴とする発電プラント。
【請求項１３】
請求項８記載の発電プラントにおいて、
前記蓄熱装置に蓄積された熱エネルギは、前記運転時に前記ボイラでの前記水の加熱に用いられ、
前記ボイラは、
熱交換により前記第一温度域の温度を有する流体を生成する第一熱交換部と、
熱交換により前記第二温度域の温度を有する流体を生成する第二熱交換部と、を備え、
前記運転時に、前記第二熱交換部で生成された前記流体の一部を前記第二蓄熱部へ導き、前記第二蓄熱部で前記熱エネルギを回収後、前記第一熱交換部へ導く第二熱回収管と、
前記運転時に、前記第一熱交換部で生成された前記流体の一部を前記第一蓄熱部へ導き、前記第一蓄熱部で前記熱エネルギを回収後、前記第一熱交換部の出口側へ導く第一熱回収管と、を備えること
を特徴とする発電プラント。
【請求項１４】
請求項８記載の発電プラントであって、
前記蓄熱装置に蓄積された熱エネルギは、前記運転時に前記蒸気タービンの前記回転駆動に用いられ、
前記運転時に、前記給水ライン内の水の一部を、前記蓄熱装置を経由して、前記蒸気タービンに導く第四熱回収管を備えること
を特徴とする発電プラント。
【請求項１５】
請求項１０記載の発電プラントであって、
前記タービンバイパス管へ前記蒸気の流入を制御するタービンバイパス開閉弁をさらに備え、
前記制御装置は、系統遮断時、前記タービンバイパス開閉弁を開状態とし、
前記蓄熱装置の前記第一温度域および前記第二温度域は、それぞれ、前記系統遮断後の第一時間経過後および第二時間経過後の前記ボイラの負荷に応じて定まる当該ボイラの出口側蒸気の温度に対応づけて決定されること
を特徴とする発電プラント。
【請求項１６】
請求項１５記載の発電プラントであって、
前記第一蓄熱部および前記第二蓄熱部それぞれの容量は、前記系統遮断後の前記第一時間内および前記第二時間内に発生する前記熱エネルギに応じて決定されること
を特徴とする発電プラント。
【請求項１７】
発電機を駆動する蒸気タービンと、
前記蒸気タービンに供給する流体を生成するボイラと、
内部に設けられた流路を通過する流体から熱を回収して蓄積する複数の蓄熱部を有する蓄熱装置と、
前記ボイラが生成する流体を、前記蒸気タービンをバイパスさせて前記蓄熱装置に導くタービンバイパス管と、
前記タービンバイパス管に流入する前記流体の流量を制御するタービンバイパス開閉弁と、を備える発電プラントにおけるファストカットバック時の運転制御方法であって、
前記複数の蓄熱部は、それぞれ異なる温度域に温度特性を有し、
前記流路は、当該蓄熱装置に流入する前記流体を各蓄熱部に導く複数の分岐流路を備え、
各分岐流路は、それぞれ、当該流路が前記流体を導く前記蓄熱部への当該流体の流入を制御する開閉弁を備え、
系統遮断指示を受け付けると、前記ボイラの負荷を絞り込むとともに、前記タービンバイパス開閉弁を開状態にし、
前記タービンバイパス管内を通過する前記流体の温度を計測し、当該流体の温度が属する温度域に前記温度特性を有する前記蓄熱部へ前記流体を導く前記分岐流路に設けられた前記開閉弁を開状態とし、他の前記開閉弁を閉状態とすること
を特徴とするファストカットバック時の運転制御方法。
【発明の詳細な説明】
【技術分野】
【０００１】
本発明は、各種燃料の燃焼熱を利用する汽力発電プラントに関し、特に、蒸気の熱の一部を熱エネルギとして貯蔵（蓄熱）し、必要に応じて貯蔵（蓄熱）した熱エネルギを発電プラントに供給する技術に関する。
【背景技術】
【０００２】
特許文献１には、複数の蓄熱槽を並列に接続し、蓄熱、放熱を行う太陽光発電システムが開示されている。
【０００３】
また、温度特性の温度域が異なる２つの蓄熱部を有する蓄熱装置に熱エネルギを蓄熱し、発電プラントの運転時に用いる技術がある。例えば、特許文献２には、それぞれ蓄熱媒体が異なる高温蓄熱装置と低温蓄熱装置とを、直列に接続した蓄熱部を有する太陽熱発電プラントが開示されている。特許文献２に開示のシステムでは、蓄熱運転モード時は、過熱蒸気の一部を、高温蓄熱装置、低温蓄熱装置の順に蓄熱する。一方、放熱運転モード時は、給水ポンプから給水された水が、低温蓄熱装置、高温蓄熱装置の順に流れて各蓄熱装置に蓄熱されている熱を回収し、過熱蒸気が生成され、蒸気タービンに供給される。
【先行技術文献】
【特許文献】
【０００４】
【特許文献１】特開２０１７−１５５６６７号公報
【特許文献２】国際公開２０１４／０１４０２７号公報
【発明の概要】
【発明が解決しようとする課題】
【０００５】
特許文献１に開示の技術によれば、蓄熱時、飽和蒸気は、太陽熱発電システムから、各蓄熱槽に１つずつ順に供給される。具体的には、各蓄熱槽の温度をモニタし、熱媒体の飽和温度に達すると、蓄熱槽を切り替える。また、放熱時も同様に、各蓄熱槽に１つずつ順に水を供給し、熱交換により飽和蒸気を含む気液二相流体を生成し、太陽熱発電システムに供給する。しかしながら、蓄熱層ではコンクリート等の固体蓄熱材による顕熱蓄熱が行われるため、放熱に伴い蓄熱材の温度も低下し、気液二相流体の温度制御が困難である。
【０００６】
特許文献２に開示の技術によれば、高温、低温の２種の蓄熱装置を備えているものの、高温蓄熱装置は溶融塩による顕熱蓄熱であるため、特許文献１と同様、蓄熱した熱を利用する際に、溶融塩の放射による温度低下に伴い蒸気の出力温度も低下する。また、高温、低温の２種の蓄熱装置が直列に接続されているため、流入する蒸気の温度が低下する場合、蒸気が逆に高温蓄熱装置から吸熱してしまい効率的に蓄熱できない。
【０００７】
潜熱蓄熱は、物質の相変態潜熱を利用したものであり、蓄熱材の融点に応じた一定温度の熱を蓄熱し、かつ、供給できる点に特徴がある。しかしながら、一般に、発電プラントでは、構成機器ごとに異なる温度域の水および蒸気が流れているため、特許文献２に開示の技術では、１つの温度域に温度特性を有する蓄熱材しか用いられておらず、複数の異なる温度域の水および蒸気を発電プラントの各機器に供給できない。また、１種類の潜熱蓄熱材しか使用しないために、蓄熱量は潜熱蓄熱材の温度特性によって決定され、効率的に蓄熱できない。
【０００８】
本発明は、上記事情に鑑みてなされたもので、発電プラントで発生する余剰エネルギを複数の異なる温度域で効率よく貯蔵、利用する技術を提供することを目的とする。
【課題を解決するための手段】
【０００９】
本発明は、内部に設けられた流路を通過する流体から熱を回収して蓄積する複数の蓄熱部を有する蓄熱装置であって、前記蓄熱部は、第一温度域に温度特性を持つ第一蓄熱部と、前記第一温度域より低い温度域である第二温度域に温度特性を持つ第二蓄熱部と、を備え、前記流路は、当該蓄熱装置に流入する前記流体を、前記第一蓄熱部、前記第二蓄熱部の順に通過させて当該蓄熱装置から排出する第一流路と、前記第一流路の前記第一蓄熱部の上流の第一分岐部で分岐し、当該蓄熱装置に流入する前記流体を、前記第一蓄熱部をバイパスして前記第二蓄熱部を通過させて当該蓄熱装置から排出する第二流路と、前記流路への前記流体の流入を制御する開閉弁と、を備え、前記開閉弁は、前記第一流路上に設けられ、前記第一蓄熱部への前記流体の流入を制御する第一開閉弁と、前記第二流路上に設けられ、前記第二蓄熱部への前記流体の流入を制御する第二開閉弁と、を備え、前記第一開閉弁は、前記流体の温度が前記第一温度域により定められた第一温度閾値以上である場合、開状態となり、前記第二開閉弁は、前記流体の温度が前記第一温度閾値未満である場合開状態となることを特徴する。
【００１０】
また、本発明は、内部に設けられた流路を通過する流体から熱を回収して蓄積する複数の蓄熱部を有する蓄熱装置であって、前記蓄熱部は、第一温度域に温度特性を持つ第一蓄熱部と、前記第一温度域より低い温度域である第二温度域に温度特性を持つ第二蓄熱部と、を備え、前記流路は、当該蓄熱装置に流入する前記流体を、前記第一蓄熱部を通過させて当該蓄熱装置から排出する第一流路と、前記第一流路の前記第一蓄熱部の上流の第一分岐部で分岐し、当該蓄熱装置に流入する前記流体を、前記第二蓄熱部を通過させて当該蓄熱装置から排出する第二流路と、前記流路への前記流体の流入を制御する開閉弁と、を備え、前記開閉弁は、前記第一流路上に設けられ、前記第一蓄熱部への前記流体の流入を制御する第一開閉弁と、前記第二流路上に設けられ、前記第二蓄熱部への前記流体の流入を制御する第二開閉弁と、を備え、前記第一開閉弁は、前記流体の温度が前記第一温度域により定められた第一温度閾値以上である場合、開状態となり、前記第二開閉弁は、前記流体の温度が前記第一温度閾値未満である場合開状態となることを特徴とする。
【００１１】
さらに、供給された水を加熱して過熱蒸気を生成するボイラと、前記ボイラで過熱した過熱蒸気により回転駆動され、発電機を駆動する蒸気タービンと、前記蒸気タービンからの排気蒸気を水にもどして前記ボイラに供給する給水ラインと、を備える発電プラントにおいて、前記ボイラで生成した過熱蒸気のうち、余剰分の熱エネルギを蓄積する蓄熱装置を備え、前記蓄熱装置は、前述の蓄熱装置であり、前記蓄熱装置に蓄積された熱エネルギは、当該発電プラントの運転時に用いられることを特徴とする。
【００１２】
また、発電機を駆動する蒸気タービンと、前記蒸気タービンに供給する流体を生成するボイラと、内部に設けられた流路を通過する流体から熱を回収して蓄積する複数の蓄熱部を有する蓄熱装置と、前記ボイラが生成する流体を、前記蒸気タービンをバイパスさせて前記蓄熱装置に導くタービンバイパス管と、前記タービンバイパス管に流入する前記流体の流量を制御するタービンバイパス開閉弁と、を備える発電プラントにおけるファストカットバック時の運転制御方法であって、前記複数の蓄熱部は、それぞれ異なる温度域に温度特性を有し、前記流路は、当該蓄熱装置に流入する前記流体を各蓄熱部に導く複数の分岐流路を備え、各分岐流路は、それぞれ、当該流路が前記流体を導く前記蓄熱部への当該流体の流入を制御する開閉弁を備え、系統遮断指示を受け付けると、前記ボイラの負荷を絞り込むとともに、前記タービンバイパス開閉弁を開状態にし、前記タービンバイパス管内を通過する前記流体の温度を計測し、当該流体の温度が属する温度域に前記温度特性を有する前記蓄熱部へ前記流体を導く前記分岐流路に設けられた前記開閉弁を開状態とし、他の前記開閉弁を閉状態とすることを特徴とする。
【発明の効果】
【００１３】
本発明によれば、発電プラントで発生する余剰エネルギを複数の異なる温度域で効率よく貯蔵、利用できる。上記した以外の課題、構成および効果は、以下の実施形態の説明により明らかにされる。
【図面の簡単な説明】
【００１４】
【図１】（ａ）は、本発明の実施形態の発電プラントの系統構成図であり、（ｂ）は、本発明の実施形態の制御装置の構成図である。
【図２】（ａ）および（ｂ）は、本発明の実施形態の発電プラントの運転時の開閉弁の開閉状態を説明するための説明図である。
【図３】本発明の実施形態の蓄熱装置の構成図である。
【図４】（ａ）は、ＦＣＢ運転時のボイラ負荷の変化と余剰蒸気の発生の様子を説明するための説明図であり、（ｂ）は、ボイラ負荷と蒸気温度との対応を示すテーブルである。
【図５】（ａ）は、蒸気温度の変化の様子と運転モードとの関係を示すグラフであり、（ｂ）は、運転モードと温度による移行条件を示すテーブルである。
【図６】（ａ）および（ｂ）は、本発明の実施形態の蓄熱装置の、運転モード毎の各開閉弁の開閉状態を説明するための説明図である。
【図７】（ａ）および（ｂ）は、本発明の実施形態の蓄熱装置の、運転モード毎の各開閉弁の開閉状態を説明するための説明図である。
【図８】発電プラントのボイラの各熱交換器の設計温度を説明するための説明図である。
【図９】本発明の実施形態の蓄熱装置からの熱回収時の接続の一例を説明するための説明図である。
【図１０】本発明の変形例の蓄熱装置の構成図である。
【図１１】（ａ）および（ｂ）は、本発明の変形例の蓄熱装置の、運転モード毎の各開閉弁の開閉状態を説明するための説明図である。
【図１２】（ａ）および（ｂ）は、本発明の変形例の蓄熱装置の、運転モード毎の各開閉弁の開閉状態を説明するための説明図である。
【図１３】（ａ）および（ｂ）は、本発明の他の変形例の蓄熱装置の構成図である。
【図１４】（ａ）および（ｂ）は、本発明の他の変形例の蓄熱装置の構成図である。
【図１５】（ａ）および（ｂ）は、本発明の他の変形例の蓄熱装置の構成図である。
【図１６】（ａ）および（ｂ）は、本発明の変形例の系統構成図である。
【図１７】本発明の実施形態の蓄熱装置からの熱回収時の他の接続例を説明するための説明図である。
【発明を実施するための形態】
【００１５】
本発明の実施形態の蓄熱装置が適用される発電プラントの一例を説明する。本実施形態の蓄熱装置は、例えば、図１に示す発電プラント１００で用いられる。
【００１６】
図１（ａ）は、本実施形態の発電プラント１００の流体系統図である。本実施形態の発電プラント１００は、燃料を燃焼させ、該燃焼の熱によって蒸気を発生させるボイラ１１０と、ボイラ１１０が発生した蒸気を用いてタービンを回転させることにより発電機１０１を駆動させて発電する蒸気タービン１２０と、ボイラ１１０に水を供給する給水ライン１３０と、ボイラ１１０で過熱された蒸気の熱エネルギを蓄熱する蓄熱装置１４０と、制御装置１５０（図１（ｂ））と、を備える。
【００１７】
ボイラ１１０は、節炭器（ＥＣＯ）１１１と、火炉水冷壁１１２と、汽水分離器１１３と、過熱器１１４と、再熱器１１５と、を備える。なお、過熱器１１４は、下流から上流に複数段備えてもよい。
【００１８】
蒸気タービン１２０は、それぞれ、発電機１０１を駆動させるための所定の仕事を行う、高圧蒸気タービン（ＨＰＴ）１２１と、中圧蒸気タービン（ＩＰＴ）１２２と、低圧蒸気タービン（ＬＰＴ）１２３と、を備える。
【００１９】
給水ライン１３０上には、復水器１３１と、復水ポンプ１３２と、低圧給水過熱器（低圧ヒーター）１３３と、脱気器１３４と、給水ポンプ１３５と、高圧給水過熱器（高圧ヒーター）１３６とが設けられる。
【００２０】
上記構成を有する発電プラント１００では、節炭器１１１で、供給された水を燃焼ガスとの熱交換により予熱する。節炭器１１１で予熱された水は、火炉水冷壁１１２において、壁に形成された不図示の炉壁管を通すことにより水−蒸気２相流体を生成する。火炉水冷壁１１２において生成された水−蒸気２相流体は、汽水分離器１１３に送られて、飽和蒸気と飽和水とに分離される。ここで、飽和蒸気は過熱器１１４へ、飽和水は第一配管１６１を通り復水器１３１へ、それぞれ、導かれる。
【００２１】
汽水分離器１１３で分離された飽和蒸気は、燃焼ガスとの熱交換により過熱器１１４で過熱され、主蒸気管１６２を経由して高圧蒸気タービン１２１に導入される。高圧蒸気タービン１２１で所定の仕事を行った蒸気は、低温再熱蒸気管１６３を経由して再熱器１１５に導かれる。再熱器１１５では、高圧蒸気タービン１２１で所定の仕事を行った蒸気を加熱する。再熱器１１５で過熱された蒸気は、高温再熱蒸気管１６４を経由して中圧蒸気タービン１２２および低圧蒸気タービン１２３に供給され、そこで、それぞれ仕事を行い、発電機１０１を駆動する。主蒸気管１６２には、第一塞止弁１７６が設けられる。また、高温再熱蒸気管１６４には、第二塞止弁１７７が設けられる。
【００２２】
なお、主蒸気管１６２と、低温再熱蒸気管１６３とは、第一開閉弁１７１を持つ高圧バイパス蒸気管１６５を介して互いに連接される。
【００２３】
低圧蒸気タービン１２３で仕事を終えた蒸気は、第一排気蒸気管１６６によって復水器１３１に導入される。復水器１３１で凝縮した復水は、汽水分離器１１３から送られた飽和水とともに復水ポンプ１３２によって低圧ヒーター１３３を通過した後、脱気器１３４に送られ、復水中のガス成分が除去される。脱気器１３４を経た復水は、さらに給水ポンプ１３５によって昇圧された後、高圧ヒーター１３６に送給されて加熱され、最終的には、ボイラ１１０へ還流される。
【００２４】
さらに、発電プラント１００は、高温再熱蒸気管１６４から分岐し、当該蒸気を、中圧蒸気タービン１２２をバイパスして復水器１３１に導くタービンバイパス蒸気管１６７を備える。タービンバイパス蒸気管１６７には、タービンバイパス開閉弁１７２が設けられる。
【００２５】
本実施形態の蓄熱装置１４０は、このタービンバイパス蒸気管１６７上に配置される。タービンバイパス蒸気管１６７を経由して蓄熱装置１４０に導かれる蒸気の熱エネルギは、蓄熱装置１４０に蓄えられる。蓄熱装置１４０で熱交換後の蒸気は、復水器１３１に導入される。
【００２６】
なお、タービンバイパス蒸気管１６７には、蓄熱装置１４０をバイパスして蒸気を復水器１３１に導く第二バイパス蒸気管１６８をさらに備えてもよい。この場合、タービンバイパス蒸気管１６７と第二バイパス蒸気管１６８との分岐点の下流には、それぞれ、第三開閉弁１７３および第四開閉弁１７４が設けられる。
【００２７】
また、タービンバイパス蒸気管１６７には、内部を通過する蒸気の温度を検出する温度センサ１８１が設けられる。
【００２８】
制御装置１５０は、図１（ｂ）に示すように、外部（発電所に置かれる制御卓１５１等）からの指示、あるいは、発電プラント１００内に設置される、上記温度センサ１８１を含む各種のセンサからの信号に従って、各開閉弁の開閉を制御する。
【００２９】
例えば、本実施形態の発電プラント１００は、蒸気タービン１２０に蒸気を供給し、発電機１０１を駆動させる通常運転を行う通常運転モードと、蒸気タービン１２０に蒸気を供給せず、ボイラ１１０で生成された蒸気の熱エネルギを蓄熱装置１４０に蓄熱する蓄熱運転モードとの２種の運転モードを備える。
【００３０】
制御卓１５１等から通常運転モードでの運転の指令を受け取ると、制御装置１５０は、図２（ａ）に示すように、タービンバイパス開閉弁１７２および第一開閉弁１７１に対し、閉指令を出力する。これにより、タービンバイパス開閉弁１７２および第一開閉弁１７１は閉じられ、蒸気、水は、ボイラ１１０、蒸気タービン１２０、給水ライン１３０間で循環し、発電機１０１が駆動される。
【００３１】
一方、蓄熱運転モードでの運転の指令を受け取ると、制御装置１５０は、図２（ｂ）に示すように、タービンバイパス開閉弁１７２、第三開閉弁１７３および第一開閉弁１７１に対し開指令を出力する。また、第四開閉弁１７４、第一塞止弁１７６および第二塞止弁１７７に対し閉指令を出力する。これにより、タービンバイパス開閉弁１７２、第三開閉弁１７３が開かれ、高温再熱蒸気管１６４の蒸気は、蓄熱装置１４０に導かれる。
【００３２】
さらに、本実施形態の制御装置１５０は、後述する蓄熱装置１４０が各流路に備える開閉弁の開閉も制御する。制御の詳細は後述する。
【００３３】
［蓄熱装置］
次に、本実施形態の蓄熱装置１４０を、図３を用いて説明する。以下、本明細書では、発電プラント１００内を還流する蒸気、水等に関し、区別する必要がない場合は、流体と称する。
【００３４】
本実施形態の蓄熱装置１４０は、それぞれ異なる温度域に温度特性（融点）を持つ蓄熱材で構成される複数の蓄熱層を備える。各蓄熱層内には、熱交換部が設けられる。
【００３５】
蓄熱装置１４０内には、各蓄熱層内の熱交換部が直列かつ並列に接続されるよう流路が設けられる。そして、蓄熱装置１４０に熱を蓄積する場合、蓄熱装置１４０に供給される流体の温度に応じて、流体が通過する経路を変更する。これにより、効率的に熱を蓄積する。経路変更は、後述する各流体に設けられた開閉弁に対する制御装置１５０からの指令により実現する。
【００３６】
以下、本実施形態では、蓄熱層として、５８０℃を中心とする温度域（第一温度域）に温度特性（融点）を有する蓄熱材で構成される高温蓄熱層２１０（以下、単に高温層２１０とも呼ぶ。）と、５００℃を中心とする温度域（第二温度域）に温度特性を有する蓄熱材で構成される中温蓄熱層２２０（中温層２２０）と、４００℃を中心とする温度域（第三温度域）に温度特性を有する蓄熱材で構成される低温蓄熱層２３０（低温層２３０）と、の３つの蓄熱層を備える場合を例にあげて説明する。
【００３７】
蓄熱装置１４０は、熱貯蔵時に用いられる流路として、第一流路２４１と、第二流路２４２と、第三流路２４３とを備える。第一流路２４１は、高温層２１０、中温層２２０および低温層２３０をこの順で流体を通過させる。第一流路２４１を通過する流体は、各蓄熱層で熱交換を行い、各蓄熱層に熱を蓄積する。第二流路２４２は、中温層２２０および低温層２３０をこの順で流体を通過させる。第二流路２４２を通過する流体は、各蓄熱層で熱交換を行い、各蓄熱層に熱を蓄積する。第三流路２４３は、流体を低温層２３０のみを通過させる。第三流路２４３を通過する流体は、低温層２３０で熱交換を行い、低温層２３０に熱を蓄積する。
【００３８】
熱交換は、各蓄熱層に設けられた熱交換部において行われる。本実施形態では、図３に示すように、高温層２１０には高温熱交換部２１１が、中温層２２０には、第一中温熱交換部２２１および第二中温熱交換部２２２が、低温層２３０には、第一低温熱交換部２３１、第二低温熱交換部２３２および第三低温熱交換部２３３がそれぞれ設けられる。
【００３９】
各熱交換部（高温熱交換部２１１と、第一中温熱交換部２２１と、第二中温熱交換部２２２と、第一低温熱交換部２３１と、第二低温熱交換部２３２と、第三低温熱交換部２３３）は、流入した流体と熱交換を行う。それぞれ、配置された蓄熱層の融点以上の温度の流体が流入した場合、当該蓄熱層に熱エネルギを蓄熱する蓄熱部として機能する。一方、配置された蓄熱層の融点未満の温度の流体が流入した場合、当該蓄熱層に蓄えられている熱エネルギを放熱する。
【００４０】
第一流路２４１は、タービンバイパス蒸気管１６７から分岐点２７１で分岐し、高温熱交換部２１１、第一中温熱交換部２２１および第一低温熱交換部２３１を、この順に接続し、合流点２７２でタービンバイパス蒸気管１６７に接続する。第一流路２４１は、蓄熱装置１４０に流入する流体を、高温熱交換部２１１、第一中温熱交換部２２１および第一低温熱交換部２３１の順に通過させ、蓄熱装置１４０から排出する。供給される流体の温度が高温層２１０の融点より高い場合、当該流体が有する熱エネルギは、高温層２１０、中温層２２０、低温層２３０の順に蓄熱される。
【００４１】
第二流路２４２は、タービンバイパス蒸気管１６７から分岐点２７１で分岐し、第二中温熱交換部２２２および第二低温熱交換部２３２を、この順に接続し、合流点２７２でタービンバイパス蒸気管１６７に接続する。第二流路２４２は、蓄熱装置１４０に流入する流体を、第二中温熱交換部２２２および第二低温熱交換部２３２の順に通過させ、蓄熱装置１４０から排出する。供給される流体の温度が中温層２２０の融点より高い場合、当該流体が有する熱エネルギは、中温層２２０、低温層２３０の順に蓄熱される。
【００４２】
第三流路２４３は、タービンバイパス蒸気管１６７から分岐点２７１で分岐し、第三低温熱交換部２３３を経て合流点２７２でタービンバイパス蒸気管１６７に接続する。第三流路２４３は、蓄熱装置１４０に流入する流体を、第三低温熱交換部２３３のみを通過させ、蓄熱装置１４０から排出する。供給される流体の温度が低温層２３０の融点より高い場合、当該流体が有する熱エネルギは、低温層２３０に蓄熱される。
【００４３】
第一流路２４１、第二流路２４２、および第三流路２４３の、蓄熱装置１４０の入口側には、それぞれ、高温開閉弁２５１、中温開閉弁２５２、および低温開閉弁２５３が、設けられる。これらの開閉弁は、タービンバイパス蒸気管１６７の、蓄熱装置１４０の上流側を流れる流体の温度に応じて出される制御装置１５０からの指令に応じて開閉される。
【００４４】
制御装置１５０は、蓄熱装置１４０に流入する流体の温度を検出し、その温度に応じて各開閉弁を開閉することにより、流体の流入経路を制御する。例えば、流入する流体の温度に応じて、当該温度より低く、かつ、最も近い融点を有する蓄熱材の蓄熱層に蓄熱されるよう、開閉弁の開閉を制御する。開閉弁制御の具体例は、後述する。
【００４５】
各蓄熱層に用いる蓄熱材としては、例えば、物質の相変態潜熱を利用した潜熱蓄熱材を用いることができる。蓄熱層の温度特性は、この潜熱蓄熱材の融解温度（融点）に基づいて決定される特性である。また、各蓄熱層に用いる蓄熱材は、蓄熱温度（融点）が５００℃を超える合金系素材を用いてもよい。さらに、この合金系素材を、セラミクスまたは金属で包含した構造であってもよい。例えば、国際公開第２０１７／２０００２１号公報に開示の、潜熱蓄熱体マイクロカプセルを用いることができる。
【００４６】
各蓄熱層に潜熱蓄熱材をセラミクス等で包含した構造の蓄熱材を用いることにより、潜熱蓄熱材の相変態を利用した、熱の入出力のみで作動する蓄熱部を得ることができる。融解温度は潜熱蓄熱材の製造時の組成によりコントロール可能なため、より流体の温度域を細かく設定可能となる。
【００４７】
各蓄熱層に用いる蓄熱材は、蓄熱装置１４０に蓄熱する熱エネルギの温度範囲に応じて、当該温度範囲に融点を持つものが選択される。また、各蓄熱層の蓄熱容量は、想定される余剰熱エネルギ量に基づいて決定される。これにより、発生する余剰エネルギを無駄にすることなく、効率よく蓄積することができる。これは、設備投資の最適化にもつながる。
【００４８】
なお、蓄熱装置１４０内には、熱回収時に用いる流路として、さらに、同じ蓄熱層内の熱交換部を接続する流路が設けられる。熱回収用の流路として、蓄熱装置１４０は、高温層２１０の高温熱交換部２１１を通過する第一熱回収管２６１と、中温層２２０の第一中温熱交換部２２１および第二中温熱交換部２２２を通過する第二熱回収管２６２と、低温層２３０の第一低温熱交換部２３１、第二低温熱交換部２３２および第三低温熱交換部２３３を通過する第三熱回収管２６３とを備える。
【００４９】
第一熱回収管２６１は、熱回収時に流体を高温層２１０のみを通過させることにより、高温層２１０のみから熱を回収する。第二熱回収管２６２は、流体を中温層２２０のみを通過させることにより、中温層２２０のみから熱を回収する。第三熱回収管２６３は、流体を低温層２３０のみを通過させることにより、低温層２３０のみから熱を回収する。
【００５０】
このように、本実施形態の蓄熱装置１４０によれば、熱回収時に各蓄熱層に融点に応じた複数の異なる温度の熱エネルギをそれぞれ別個独立して回収することができる。そして、回収した異なる温度の熱エネルギを、それぞれ、要求される温度に応じた利用先に提供できる。すなわち、本実施形態の蓄熱装置１４０によれば、用途に応じた熱の使い分けを実現できる。
【００５１】
［使用例］
以下、本実施形態の蓄熱装置１４０を備える発電プラント１００の使用例を説明する。
【００５２】
例えば、発電プラント１００では、送電線系統等に事故が発生した場合、発電機１０１を系統から切り離し、発電電力を通常運転時の数％に相当する所内用補機電力まで低下させる、いわゆるファストカットバック（Ｆａｓｔ  Ｃｕｔ  Ｂａｃｋ（ＦＣＢ））運転が行われる。このＦＣＢ運転に移行すると、発電機１０１を駆動する蒸気タービン１２０が無負荷状態となる。ボイラ１１０に対する給水等の入力を最低負荷まで急速に絞り込み、所内単独負荷運転に移行させる。
【００５３】
本実施形態の蓄熱装置１４０を備える発電プラント１００によるＦＣＢ運転時の制御の概要を、図４（ａ）を用いて説明する。
【００５４】
系統遮断後、例えば、石炭燃焼プラントでは、破線上に星印で示すタイミングで、ボイラ１１０へ石炭を供給するミルの稼働を１台ずつ停止させることにより、ボイラ１１０の負荷は、例えば、５％程度まで絞り込まれる。このようにミルの稼働を停止させたとしても、ボイラ１１０により生成される蒸気は、斜線で示すように、余剰エネルギとして発生し続ける。
【００５５】
ボイラ１１０の負荷が絞り込まれると、タービンバイパス蒸気管１６７を通過する蒸気の温度も低下する。例えば、ボイラ１１０の負荷が段階的に絞り込まれた場合のタービンバイパス蒸気管１６７を通過する蒸気の温度の変化を図４（ｂ）に示す。
【００５６】
本実施形態では、系統遮断後、発生し続ける余剰エネルギの熱量を、蓄熱装置１４０に蓄熱する。このとき、タービンバイパス蒸気管１６７を流れる蒸気の温度に応じて、各開閉弁を開閉制御し、当該温度より低く、かつ、最も近い融点を有する蓄熱材の蓄熱層に蓄熱する。
【００５７】
また、系統復帰後、蓄熱装置１４０に蓄熱した熱エネルギを回収し、ボイラ１１０の稼働に用いる。このとき、ボイラ１１０が有する各熱交換器（火炉水冷壁１１２、汽水分離器１１３、過熱器１１４）の設計温度に応じて、熱交換器に供給される流体の一部を分岐して、設計温度に対応する融点を持つ蓄熱材の蓄熱層から熱エネルギを回収し、ボイラ１１０内に戻す。
【００５８】
以下、ＦＣＢ運転時の、制御装置１５０による蓄熱装置１４０への蓄熱に関する制御の流れを説明する。
【００５９】
制御装置１５０は、系統遮断の指示を受け付けると、ボイラ１１０の負荷を絞り込むとともに、タービンバイパス開閉弁１７２に、開指令を出力し、開状態とする。これにより、ボイラ１１０で生成される流体は、タービンバイパス蒸気管１６７を介して蓄熱装置１４０へ導かれる。
【００６０】
その後、制御装置１５０は、タービンバイパス蒸気管１６７を流れる流体の温度を検出し、検出した温度に応じて、高温開閉弁２５１、中温開閉弁２５２、低温開閉弁２５３の開閉を制御する。
【００６１】
なお、この場合、各蓄熱層の温度域は、それぞれ、系統遮断後の所定の時間経過後のバイパス蒸気温度に従って決定する。さらに、各蓄熱層の蓄熱容量は、それぞれの時間経過後の余剰エネルギ量を蓄熱可能な容量とする。
【００６２】
以下、高温層２１０に、融点が５８０℃の潜熱蓄熱材を、中温層２２０に、融点が５００℃の潜熱蓄熱材を、低温層２３０に、融点が４００℃の潜熱蓄熱材を、それぞれ用いる場合を例にあげ、制御装置１５０による各開閉弁の開閉指示の具体例を説明する。ここでは、第二バイパス蒸気管１６８も含めて説明する。
【００６３】
なお、ボイラ１１０の負荷低下に伴うタービンバイパス蒸気管１６７内の蒸気温度（タービンバイパス蒸気温度）は、図５（ａ）に示すように変化するものとする。
【００６４】
ここでは、温度閾値Ｔ１，Ｔ２として、各潜熱蓄熱材の融点にマージンとして１０℃程度を見込んだ値を設定する。例えば、Ｔ１は５９０℃、Ｔ２は５１０℃とする。さらに、蓄熱装置１４０に蓄熱せずに、第二バイパス蒸気管１６８を介してバイパスさせる温度閾値としてＴ３（＝４１０℃）を設定する。
【００６５】
本実施形態の制御装置１５０は、タービンバイパス蒸気温度が温度閾値に到達する毎に、蓄熱装置１４０の各開閉弁の開閉を制御する。本実施形態では、各開閉弁の異なる開閉態様での運転を、それぞれ運転モードと呼ぶ。従って、制御装置１５０は、タービンバイパス蒸気温度が温度閾値に到達する毎に運転モードを移行する。
【００６６】
各運転モード実行時のタービンバイパス蒸気温度Ｔ（以下、バイパス蒸気音とＴと呼ぶ。）と温度閾値Ｔ１，Ｔ２，Ｔ３との関係を図５（ｂ）のテーブルに示す。本図に示すように、運転モード１は、バイパス蒸気温度Ｔが第一温度閾値Ｔ１以上である場合の運転モードである。運転モード２は、バイパス蒸気温度Ｔが第一温度閾値Ｔ１未満で第二温度閾値Ｔ２以上である場合の運転モードである。運転モード３、バイパス蒸気温度Ｔが、第二温度閾値Ｔ２未満で第三温度閾値Ｔ３以上である場合の運転モードである。運転モード４は、バイパス蒸気温度Ｔが第三温度閾値Ｔ３未満である場合の運転モードである。なお、運転モード４は、例えば、発電プラント１００の故障時等の非常時も含まれる。
【００６７】
運転モード１の場合、すなわち、バイパス蒸気温度ＴがＴ１以上の場合、制御装置１５０は、図６（ａ）に示すように、高温開閉弁２５１のみを開とし、他の開閉弁２５２、２５３、１７４を閉とする。これにより、本図に太線で示すように、蓄熱装置１４０に流入する流体は、高温熱交換部２１１、第一中温熱交換部２２１、第一低温熱交換部２３１の順に流れる。
【００６８】
この場合、高温熱交換部２１１で熱交換され、温度の下がった流体は、第一中温熱交換部２２１に流入する。第一中温熱交換部２２１で熱交換され、さらに温度の下がった流体は、第一低温熱交換部２３１に流入する。そして、第一低温熱交換部２３１における熱交換でさらに温度の下がった流体が蓄熱装置１４０からタービンバイパス蒸気管１６７を経て、復水器１３１へ排出される。
【００６９】
運転モード２の場合、すなわち、バイパス蒸気温度ＴがＴ１未満かつＴ２以上の場合、制御装置１５０は、図６（ｂ）に示すように、中温開閉弁２５２のみを開とし、他の開閉弁２５１、２５３、１７４を閉とする。これにより、本図に太線で示すように、蓄熱装置１４０に流入する流体は、第二中温熱交換部２２２、第二低温熱交換部２３２の順に流れる。
【００７０】
この場合、第二中温熱交換部２２２で熱交換され、温度の下がった流体は、第二低温熱交換部２３２に流入する。そして、第二低温熱交換部２３２における熱交換によりさらに温度の下がった流体が蓄熱装置１４０からタービンバイパス蒸気管１６７を経て、復水器１３１へ排出される。
【００７１】
運転モード３の場合、すなわち、バイパス蒸気温度ＴがＴ２未満かつＴ３以上の場合、制御装置１５０は、図７（ａ）に示すように、低温開閉弁２５３のみを開とし、他の開閉弁２５１、２５２、１７４を閉とする。これにより、本図に太線で示すように、蓄熱装置１４０に流入する流体は、第三低温熱交換部２３３へ流入する。
【００７２】
この場合、第三低温熱交換部２３３で熱交換され、温度の下がった流体が蓄熱装置１４０からタービンバイパス蒸気管１６７を経て、復水器１３１へ排出される。
【００７３】
運転モード４の場合、すなわち、バイパス蒸気温度ＴがＴ３未満の場合、制御装置１５０は、図７（ｂ）に示すように、第四開閉弁１７４のみ開とし、他の開閉弁２５１、２５２、２５３を閉とする。これにより、本図に太線で示すように、タービンバイパス蒸気管１６７内の流体は、第二バイパス蒸気管１６８を経て復水器１３１に排出され、蓄熱装置１４０に流体は流入しない。
【００７４】
［熱回収時］
次に、蓄熱装置１４０からの熱回収の一例を説明する。上述のように、本実施形態の蓄熱装置１４０では、熱エネルギを、複数の温度域で蓄熱できる。従って、蓄熱装置１４０からの熱回収時も、温度域毎に回収でき、利用先に提供できる。ここでは、一例として、ボイラ１１０の各熱交換器に、その設計温度に応じて各蓄熱層から回収した熱エネルギを供給する場合の例を示す。
【００７５】
ボイラ１１０の各熱交換器の設計温度の一例を図８に示す。ここでは、ボイラ１１０は、一次過熱器１１４ａと、二次過熱器１１４ｂとを備えるものとする。
【００７６】
本図に示すように火炉水冷壁１１２、一次過熱器１１４ａ、二次過熱器１１４ｂそれぞれの、入口側、出口側の設計温度は、３３０℃、４３０℃、４３０℃、４７０℃、４６０℃、５６０℃である。
【００７７】
従って、本実施形態では、火炉水冷壁１１２に供給される流体の一部を、低温層２３０を通すことにより加温し、火炉水冷壁１１２の出口側に供給する。また、一次過熱器１１４ａに供給される流体の一部を、中温層２２０を通すことにより加温し、その出口側に供給する。さらに、二次過熱器１１４ｂに供給される流体の一部を、高温層２１０を通すことにより加温し、その出口側に供給する。
【００７８】
この場合、図９に示すように、蓄熱装置１４０の低温層２３０から熱エネルギを回収する第三熱回収管２６３の入口側は、火炉水冷壁１１２の入口側の配管に接続される。また、第三熱回収管２６３の出口側は、火炉水冷壁１１２の出口側の配管に接続される。中温層２２０から熱エネルギを回収する第二熱回収管２６２の入口側は、一次過熱器１１４ａの入口側の配管に接続される。また、第二熱回収管２６２の出口側は、一次過熱器１１４ａの出口側の配管に接続される。高温層２１０から熱エネルギを回収する第一熱回収管２６１の入口側は、二次過熱器１１４ｂの入口側の配管に接続される。第一熱回収管２６１の出口側は、二次過熱器１１４ｂの出口側の配管に接続される。
【００７９】
以上説明したように、本実施形態の発電プラント１００は、異なる融点を持つ潜熱蓄熱材でそれぞれ形成された複数の蓄熱層を有する蓄熱装置１４０を備える。そして、余剰エネルギが発生した場合、この蓄熱装置１４０の各蓄熱層に、当該蓄熱層を形成する潜熱蓄熱材の融点に応じた熱エネルギを蓄える。
【００８０】
これにより、本実施形態の蓄熱装置１４０を備える発電プラント１００によれば、余剰エネルギを、温度帯毎に独立して蓄熱できる。従って、蓄熱装置１４０から熱回収する場合、利用先の熱交換器が要求する温度に応じた熱エネルギを蓄熱する蓄熱層から熱を回収することができ、効率よく余剰エネルギを利用できる。例えば、ＦＣＢ後の系統復帰時にこの余剰エネルギを利用することにより、ボイラ１１０の各熱交換器に最適な熱エネルギを提供することができ、素早く立ち上げることができる。
【００８１】
また、本実施形態の蓄熱装置１４０では、各蓄熱層の蓄熱材として、物質の相変態潜熱を利用した潜熱蓄熱材を用いる。これにより、熱の入出力のみで作動する、高密度蓄熱可能な蓄熱部を実現できる。また、潜熱蓄熱材として、融点の高い合金系素材を用いることにより、高い蓄熱温度を実現できる。これにより、例えば、タービンバイパス蒸気等の高温の流体をそのままの高い温度で蓄熱することができる。また、放熱時に最も高い温度域の蒸気を作ることが可能となる。
【００８２】
さらに、本実施形態の蓄熱装置１４０では、蓄熱装置１４０に流入する流体の温度に応じて、当該温度より低く、かつ、最も近い融点を有する蓄熱材の蓄熱層に流入するよう流路を設ける。従って、簡易な構成で、複数の温度域毎の蓄熱を実現できる。
【００８３】
さらに、蓄熱装置１４０内の各流路は、蓄熱層を通過した流体を、当該蓄熱材の次に融点の高い蓄熱材で構成される蓄熱層が有る場合は、当該蓄熱層も通過させるよう設けられる。すなわち、１つの流路において、高温、中温、低温という順で蓄熱層を配設することで、流体の熱を余すことなく回収することができる。余すことなく回収した熱エネルギを起動等に利用することも含め、本実施形態の蓄熱装置１４０を有する発電プラント１００によれば、発電プラント１００の効率的な運転を実現できる。
【００８４】
さらに、本実施形態の蓄熱装置１４０によれば、流体の温度域ごとにその温度域に対し過不足ない性能を持つ蓄熱層を配設する。例えば、ＦＣＢ運転時の余剰エネルギの蓄積に用いる場合、各蓄熱層の温度域は、それぞれ、系統遮断後の所定の時間経過後のバイパス蒸気温度に従って決定する。さらに、各蓄熱層の蓄熱容量は、それぞれの時間経過後の余剰エネルギ量に応じて決定する。
【００８５】
これにより、効率的な熱回収が可能となる。例えば、蓄熱装置１４０に流入する流体の、想定される最も高い温度に合わせて蓄熱部を用意すると、中温または低温の流体の熱回収においてオーバースペックとなり無駄が多い。しかし、本実施形態によれば、温度域ごとに適切な蓄熱層に蓄熱するため、このような無駄を回避できる。
【００８６】
また、本実施形態の蓄熱装置１４０を備える発電プラント１００では、蓄熱装置１４０で、流体の熱を余すことなく回収するため、蓄熱装置１４０から復水器１３１に排出される流体の温度は低くなる。従って、復水器１３１に戻される熱量を抑えることができる。
【００８７】
特に、ＦＣＢ運転時は、余剰蒸気の熱量が大きい。従来の発電プラント１００では、ＦＣＢ機能を備えると、発生する余剰蒸気を全て復水器１３１に戻すことになる。このため、無駄が多いだけでなく、復水器１３１側にも大きな受け入れ容量が必要となる。復水器１３１の大きな受け入れ容量を実現するためには、大掛かりな工事が必要である。しかしながら、本実施形態によれば、復水器１３１へ戻す流体の熱量の大部分が蓄熱装置１４０に蓄熱されるため、復水器１３１の性能は、ＦＣＢ機能なしの場合に用いる復水器１３１と略同等でよい。このため、設備費用を抑えることができる。
【００８８】
本実施形態の蓄熱装置１４０を備える発電プラント１００は、ＦＣＢ時、効率よく蓄熱できるとともに、系統復帰時に、効率よく蓄熱した熱エネルギを回収できる。さらに、ＦＣＢ後の系統復帰時に限らず、通常の起動時や急速な発電プラント１００の負荷上昇時に蓄熱装置１４０に蓄えられた蓄熱エネルギを活用することができる。これにより、起動時間や負荷上昇時間を短縮することができる。
【００８９】
なお、急速な負荷上昇時とは、例えば、通常運転時の起動／負荷変化／停止時よりも速い負荷変化が必要とされる場合である。例えば、系統が不安定になった後の復帰時等、通常起動よりも高い負荷上昇を系統側が要求する場合などである。例えば、ボイラ１１０であれば、５％／分以上、ガスタービンであれば、１０〜２０％／分以上の上昇率である。
【００９０】
また、発電プラント１００を構成する機器であって、蒸気タービン１２０以外の機器の熱量変化に対応する限界によって規定される負荷変化率を超える場合や、ボイラ１１０が系統の要求に対応できない負荷変化が要求される場合等も含まれる。
【００９１】
また、本実施形態の発電プラント１００では、タービンバイパス開閉弁１７２を有するタービンバイパス蒸気管１６７上に蓄熱装置１４０を配置する。これにより、タービンバイパス開閉弁１７２への開閉指示のみで蓄熱運転モードへの切替を即座に実施することができる。ＦＣＢ等、余儀なく系統遮断を実施せざるを得ない場合の切替処理が容易にでき、発生する余剰エネルギを容易に回収できる。
【００９２】
例えば、本実施形態の蓄熱装置１４０を、ＤＳＳ（Ｄａｉｌｙ  Ｓｔａｒｔ  ＆  Ｓｔｏｐ）での汽力発電プラントの起動停止に利用することにより、起動停止時間の短縮が可能となる。また、本実施形態の蓄熱装置１４０を用いることにより、当該汽力発電プラントと再生エネルギ発電プラントの併用時においても、再生エネルギに由来する電力供給量の変動をトータルで平準化できる。これにより、全体的な電力供給量が系統の要求を超える状態の発生回数が低減する。
【００９３】
＜変形例＞
［蓄熱装置の変形例］
上記実施形態では、蓄熱装置１４０は、内部の各流路によって、各蓄熱層の熱交換部である蓄熱部が、直列かつ並列に接続されているが、この構成に限定されない。蓄熱装置１４０に流入する流体の温度に応じて最適な蓄熱層に蓄熱でき、かつ、放熱時に温度毎に利用可能な態様で蓄熱できればよい。蓄熱装置１４０の変形例を以下に説明する。
【００９４】
図１０は、本実施形態の蓄熱装置１４０（以下、蓄熱装置１４０ａと呼ぶ）の他の例である。ここでも、上記実施形態同様、高温層２１０と、中温層２２０と、低温層２３０と、の３つの蓄熱層を備える場合を例にあげて説明する。本図に示すように、蓄熱装置１４０ａでは、各蓄熱層の熱交換器が直列に接続される。
【００９５】
蓄熱装置１４０ａは、高温熱交換部２１１と、第一中温熱交換部２２１と、第一低温熱交換部２３１と、第一流路２４１と、第二流路３４２と、第三流路３４３と、高温開閉弁２５１と、第一中温開閉弁３５２と、低温開閉弁３５３と、第二中温開閉弁３５４と、第一熱回収管２６１と、第二熱回収管２６２と、第三熱回収管２６３と、を備える。
【００９６】
高温熱交換部２１１、第一中温熱交換部２２１および第一低温熱交換部２３１は、それぞれ、蓄熱装置１４０と同様である。また、第一流路２４１および高温開閉弁２５１も蓄熱装置１４０と同様である。以下、蓄熱装置１４０と異なる構成に主眼をおいて説明する。
【００９７】
第二流路３４２は、タービンバイパス蒸気管１６７から分岐点２７１で分岐し、高温熱交換部２１１をバイパスして、高温熱交換部２１１の下流の合流点３７５で第一流路２４１に合流する。第二流路３４２は、蓄熱装置１４０ａに流入する流体を、第一中温熱交換部２２１および第一低温熱交換部２３１の順に通過させ、蓄熱装置１４０ａから排出する。
【００９８】
第三流路３４３は、第二流路３４２から、第一中温開閉弁３５２より下流の分岐点３７２において分岐し、第一中温熱交換部２２１をバイパスして、第一中温熱交換部２２１の下流の合流点３７６で第一流路２４１に合流する。第三流路３４３は、蓄熱装置１４０ａに流入する流体を、第一低温熱交換部２３１のみを通過させ、蓄熱装置１４０ａから排出する。
【００９９】
各分岐点２７１、３７２の下流には、制御装置１５０からの指令で開閉し、いずれの流路に流体を流すか制御する高温開閉弁２５１、第一中温開閉弁３５２、第二中温開閉弁３５４および低温開閉弁３５３が設けられる。制御装置１５０は、タービンバイパス蒸気管１６７の、蓄熱装置１４０ａの上流側を流れる流体の温度に応じて各開閉弁に開閉の指令を出力する。
【０１００】
蓄熱装置１４０同様の温度閾値Ｔ１、Ｔ２を用いて説明すると、制御装置１５０は、タービンバイパス蒸気管１６７の、蓄熱装置１４０の上流側を流れる流体の温度が、第一温度閾値Ｔ１以上である場合、高温開閉弁２５１を開状態とし、第一中温開閉弁３５２を閉状態とする。また、同流体の温度が、Ｔ１未満である場合、高温開閉弁２５１を閉状態とし、第一中温開閉弁３５２を開状態とする。また、同流体の温度が、第二温度閾値Ｔ２以上である場合、第二中温開閉弁３５４を開状態とし、低温開閉弁３５３を閉状態とする。また、同流体の温度が、第二温度閾値Ｔ２未満である場合、第二中温開閉弁３５４を閉状態とし、低温開閉弁３５３を開状態とする。
【０１０１】
この場合の、各運転モード１〜４の、制御装置１５０による開閉弁の制御について図１１（ａ）〜図１２（ｂ）を用いて説明する。ここでは、第二バイパス蒸気管１６８および第四開閉弁１７４も含めてその動作を説明する。なお、本変形例の蓄熱装置１４０ａでは、第二バイパス蒸気管１６８は、第三流路３４３上の分岐点３７３で分岐し、第一低温熱交換部２３１をバイパスして合流点２７２で第一流路２４１（タービンバイパス蒸気管１６７）に合流する。
【０１０２】
制御装置１５０は、運転モード１の時、すなわち、バイパス蒸気温度ＴがＴ１以上の場合は、流体が第一流路２４１を通過するよう各開閉弁の開閉を制御する。すなわち、制御装置１５０は、図１１（ａ）に示すように、高温開閉弁２５１のみ開とし、他の開閉弁１７４、３５２、３５３、３５４を閉とする指令信号を出力する。これにより、蓄熱装置１４０ａに流入する流体は、太線で示すように、高温熱交換部２１１、第一中温熱交換部２２１、第一低温熱交換部２３１の順に流れ、蓄熱装置１４０ａから排出される。
【０１０３】
運転モード２の時、すなわち、バイパス蒸気温度ＴがＴ１未満かつＴ２以上である場合は、制御装置１５０は、流体が第二流路３４２を通過するよう各開閉弁の開閉を制御する。すなわち、制御装置１５０は、図１１（ｂ）に示すように、第一中温開閉弁３５２と第二中温開閉弁３５４と、を開とし、他の開閉弁２５１、３５３、１７４を閉とする指令信号を出力する。これにより、蓄熱装置１４０ａに流入する流体は、太線で示すように、第一中温熱交換部２２１、第一低温熱交換部２３１の順に流れ、蓄熱装置１４０ａから排出される。
【０１０４】
運転モード３の時、すなわち、バイパス蒸気温度ＴがＴ２未満かつＴ３以上である場合は、制御装置１５０は、流体が第三流路２４３を通過するよう各開閉弁の開閉を制御する。すなわち、制御装置１５０は、図１２（ａ）に示すように、第一中温開閉弁３５２と低温開閉弁３５３とを開とし、他の開閉弁２５１、３５４、１７４を閉とする指令信号を出力する。これにより、蓄熱装置１４０ａに流入する流体は、太線で示すように、第一低温熱交換部２３１のみを通過し、蓄熱装置１４０から排出される。
【０１０５】
運転モード４の時、すなわち、バイパス蒸気温度ＴがＴ３未満である場合は、バイパス蒸気が蓄熱装置１４０ａの各蓄熱層をバイパスして第二バイパス蒸気管１６８を通過するよう制御する。すなわち、制御装置１５０は、図１２（ｂ）に示すように、第一中温開閉弁３５２と第四開閉弁１７４とを開とし、他の開閉弁２５１、３５４、３５３を閉とする指令信号を出力する。これにより、蓄熱装置１４０ａに流入する流体は、太線で示すように、蓄熱装置１４０ａに熱を放出することなく、復水器１３１に導かれる。
【０１０６】
本変形例によれば、上記実施形態同様、それぞれ温度特性の異なる複数の蓄熱層に熱エネルギを蓄熱することができる。また、利用する際、蓄熱した温度レベル毎に熱エネルギを回収することができる。従って、効率よく余剰エネルギの蓄積、回収を行うことができる。
【０１０７】
［蓄熱装置の他の変形例］
さらに、蓄熱装置１４０は、各蓄熱層に並列に熱交換部が配置されていてもよい。この場合の蓄熱装置１４０ｂの構成例を図１３（ａ）に示す。本図に示すように、蓄熱装置１４０同様、第一流路２４１と、第二流路２４２と、第三流路２４３と、を備える。第一流路２４１は、高温熱交換部２１１のみを通り、熱交換後の流体を、蓄熱装置１４０から排出する。第二流路２４２は、第二中温熱交換部２２２のみを通り、熱交換後の流体を、蓄熱装置１４０から排出する。第三流路２４３は、上記実施形態同様、第三低温熱交換部２３３のみを通り、熱交換後の流体を蓄熱装置１４０から排出する。
【０１０８】
蓄熱装置１４０ｂによれば、蓄熱装置１４０同様の効果を、簡易な構成で実現できる。
【０１０９】
また、蓄熱装置１４０の各熱交換部は、各蓄熱層に１つ設けられ、かつ、上記実施形態のように、直列かつ並列に接続されてもよい。すなわち、各流路で、各蓄熱層に熱交換部を共有してもよい。この場合の蓄熱装置１４０ｃの構成例を図１３（ｂ）に示す。
【０１１０】
本図に示すように、第一流路２４１は、高温熱交換部２１１、第一中温熱交換部２２１と、第一低温熱交換部２３１とを通る。また、第二流路２４２は、第一中温熱交換部２２１と第一低温熱交換部２３１とを通る。第三流路２４３は、第一低温熱交換部２３１を通る。すなわち、第一中温熱交換部２２１は、第一流路２４１と第二流路２４２とから流体が流入する。また、第一低温熱交換部２３１には、第一流路２４１と第二流路２４２と第三流路２４３とから流体が流入する。
【０１１１】
このように、流路ごとに個別に蓄熱部を設けるのではなく共有化することにより、蓄熱装置１４０と同様の効果を、簡易な構成で得ることができる。
【０１１２】
なお、蓄熱層の数は、複数であればよく、その層の数は問わない。例えば、２層であってもよい。蓄熱層が２層で、各蓄熱層内の熱交換部が並列に接続される場合の蓄熱装置の例を、図１４（ａ）に示す。
【０１１３】
図１４（ａ）に示す蓄熱装置１４０ｄは、高温層２１０内に設けられ、熱交換を行う高温熱交換部２１１と、中温層２２０内に設けられ、熱交換を行う第二中温熱交換部２２２と、を備える。また、蓄熱装置１４０ｄに流入する流体を、高温熱交換部２１１を通過させて蓄熱装置１４０ｄから排出する第一流路２４１と、第一流路２４１の高温熱交換部２１１の上流の分岐点２７１で分岐し、蓄熱装置１４０ｄに流入する流体を、第二中温熱交換部２２２を通過させて蓄熱装置１４０ｄから排出する第二流路２４２と、を備える。また、第一流路２４１上に設けられ、高温熱交換部２１１への流体の流入を制御する高温開閉弁２５１と、第二流路２４２上に設けられ、第二中温熱交換部２２２への流体の流入を制御する中温開閉弁２５２と、を備える。
【０１１４】
蓄熱装置１４０ｄでは、高温開閉弁２５１は、制御装置１５０からの指令により、流体の温度が予め定めた第一温度閾値Ｔ１以上である場合、開状態となり、中温開閉弁２５２は、流体の温度が第一温度閾値Ｔ１未満である場合、開状態となる。
【０１１５】
なお、発電プラント１００が第二バイパス蒸気管１６８および第四開閉弁１７４を備える場合の、制御装置１５０による開閉弁の制御を、図１４（ｂ）の蓄熱装置１４０ｅを用いて説明する。
【０１１６】
図１４（ｂ）に示す蓄熱装置１４０ｅの構成は、蓄熱装置１４０ｄと同様である。ただし、分岐点２７１から第二バイパス蒸気管１６８が分岐し、合流点２７２でタービンバイパス蒸気管１６７に合流する。また、第二バイパス蒸気管１６８には、第四開閉弁１７４が設けられる。
【０１１７】
蓄熱装置１４０ｅでは、蓄熱装置１４０ｄと同様に、高温開閉弁２５１は、制御装置１５０からの指令により、流体の温度が予め定めた第一温度閾値Ｔ１以上である場合、開状態となり、中温開閉弁２５２は、流体の温度が第一温度閾値Ｔ１未満である場合、開状態となる。
【０１１８】
また、蓄熱装置１４０ｅでは、中温開閉弁２５２は、制御装置１５０からの指令により、流体の温度が第一温度閾値Ｔ１未満であっても、第二温度閾値Ｔ２未満である場合、閉状態となる。流体の温度が第二温度閾値Ｔ２未満である場合、制御装置１５０は、第四開閉弁１７４を開状態とし、タービンバイパス蒸気管１６７を流れる流体を、蓄熱装置１４０ｅ（高温熱交換部２１１および第二中温熱交換部２２２）をバイパスさせる。
【０１１９】
蓄熱層が２層で、各蓄熱層内の熱交換部が直列に接続される場合の蓄熱装置の例を、図１５（ａ）に示す。
【０１２０】
図１５（ａ）に示す蓄熱装置１４０ｆは、高温層２１０内に設けられ、熱交換を行う高温熱交換部２１１と、中温層２２０内に設けられ、熱交換を行う第一中温熱交換部２２１と、を備える。また、蓄熱装置１４０ｆに流入する流体を、高温熱交換部２１１および第一中温熱交換部２２１をこの順に通過させて蓄熱装置１４０ｆから排出する第一流路２４１と、第一流路２４１の高温熱交換部２１１の上流の分岐点２７１で分岐し、蓄熱装置１４０ｆに流入する流体を、高温熱交換部２１１をバイパスして第一中温熱交換部２２１を通過させて蓄熱装置１４０ｆから排出する第二流路３４２と、を備える。また、第一流路２４１上に設けられ、高温熱交換部２１１への流体の流入を制御する高温開閉弁２５１と、第二流路２４２上に設けられ、第一中温熱交換部２２１への流体の流入を制御する第一中温開閉弁３５２と、を備える。
【０１２１】
蓄熱装置１４０ｆでは、高温開閉弁２５１は、制御装置１５０からの指令により、流体の温度が定められた第一温度閾値Ｔ１以上である場合、開状態となり、第一中温開閉弁３５２は、流体の温度が第一温度閾値Ｔ１未満である場合、開状態となる。
【０１２２】
なお、発電プラント１００が第二バイパス蒸気管１６８および第四開閉弁１７４を備える場合の、制御装置１５０による開閉弁の制御を、図１５（ｂ）の蓄熱装置１４０ｇを用いて説明する。
【０１２３】
図１５（ｂ）に示す蓄熱装置１４０ｇの構成は、蓄熱装置１４０ｆと略同様である。ただし、第二流路３４２の第一中温開閉弁３５２の下流の分岐点３７２から第二バイパス蒸気管１６８が分岐し、合流点２７２でタービンバイパス蒸気管１６７に接続する。また、第二バイパス蒸気管１６８には、第四開閉弁１７４が設けられる。さらに、第二流路３４２の分岐点３７２の下流には、第二中温開閉弁３５４が設けられる。
【０１２４】
蓄熱装置１４０ｇでは、蓄熱装置１４０ｆと同様に、高温開閉弁２５１は、制御装置１５０からの指令により、流体の温度が定められた第一温度閾値Ｔ１以上である場合、開状態となり、第一中温開閉弁３５２は、流体の温度が第一温度閾値Ｔ１未満である場合、開状態となる。
【０１２５】
第二中温開閉弁３５４は、制御装置１５０からの指令により、流体の温度が第二温度閾値Ｔ２以上である場合、開状態となり、第四開閉弁１７４は、流体の温度が第二温度閾値Ｔ２未満である場合、開状態となる。
【０１２６】
このように、蓄熱装置１４０は、必要温度、蒸気量に応じて蓄熱層の数（サイズ）や経路を最適化できる。各蓄熱層それぞれに熱交換部を設置し、開閉弁の開閉で蒸気の経路をコントロールする簡易な構成で、温度レベル毎の蓄熱を実現できる。
【０１２７】
［蓄熱流体の変形例］
さらに、上記実施形態では、蓄熱装置１４０は、タービンバイパス蒸気管１６７を通過する流体から熱エネルギを取得して蓄熱している。しかし、蓄熱対象は、この流体の熱エネルギに限定されない。例えば、汽水分離器１１３から復水器１３１に戻す飽和水の熱エネルギを蓄熱してもよい。この場合の発電プラント１００の系統図を図１６（ａ）に示す。
【０１２８】
本図に示すように、汽水分離器１１３から飽和水を復水器１３１に戻す第一配管１６１に蓄熱配管１６１ａを設ける。蓄熱配管１６１ａは、第一配管１６１から分岐し、蓄熱装置１４０を経て、第一配管１６１に合流させる。
【０１２９】
蓄熱配管１６１ａには、蓄熱装置１４０の上流側に第五開閉弁１７５が設けられる。第五開閉弁１７５は、汽水分離器１１３から供給される飽和水を、蓄熱装置１４０を経由して復水器１３１に戻すか、直接戻すかを制御するための開閉弁である。制御装置１５０は、飽和水を蓄熱装置１４０へ流入させる際は、開状態となるよう指令を出す。
【０１３０】
なお、このとき、汽水分離器１１３から復水器１３１に戻される飽和水の熱エネルギを蓄熱する蓄熱装置は、タービンバイパス蒸気管１６７上に設けられる蓄熱装置１４０とは、別個独立の蓄熱装置１４１であってもよい。この場合の配管例を図１６（ｂ）に示す。
【０１３１】
この場合、蓄熱装置１４１は、本図に示すように、例えば、第一配管１６１上に設けられる。この場合も、飽和水を、蓄熱装置１４１をバイパスして復水器１３１に戻すバイパス流路をさらに備えてもよい。
【０１３２】
これらの変形例のように、汽水分離器１１３から復水器１３１に戻される飽和水からも蓄熱するよう構成することにより、系統内で発生した余剰な熱エネルギを、余すことなく蓄熱することができる。そして、蓄熱した熱エネルギを、系統復帰時等に用いることができる。
【０１３３】
［熱回収時の変形例］
上記実施形態の発電プラント１００では、蓄熱装置１４０に蓄熱された熱エネルギを、蓄熱層ごとに、当該蓄熱層の温度域に対応するボイラ１１０の熱交換器に供給することで、ボイラ１１０の急激な負荷上昇時のエネルギ供給を効率的に支援している。
【０１３４】
しかしながら、蓄熱装置１４０からの熱回収手法は、これに限定されない。例えば、図１７に示すように、低温層２３０より順に流体を層毎に通過させ、蓄熱装置１４０に蓄熱された熱エネルギ全体を回収後、発電プラント１００の系統に戻すよう構成してもよい。
【０１３５】
熱エネルギ回収後の流体の戻し先は、例えば、主蒸気管１６２とする。また、蓄熱装置１４０への流体は、例えば、給水ライン１３０から供給する。この場合、例えば、給水ライン１３０と主蒸気管１６２とを接続する第四熱回収管２６４を設け、蓄熱装置１４０を、第四熱回収管２６４上に配置する。
【０１３６】
このように配管することにより、蓄熱装置１４０に投入された水は、低温層２３０、中温層２２０、高温層２１０の順に加温される。これにより、蓄熱装置１４０内のみで高温、高圧の蒸気が生成され、それを、高圧蒸気タービン１２１に直接投入できる。
【０１３７】
なお、本変形例では、高負荷運転時は、蓄熱装置１４０での熱エネルギ回収後の流体の戻し先は、低温再熱蒸気管１６３であってもよい。
【０１３８】
なお、本発明は、上記実施形態および変形例に限定されず、本発明に係る技術的思想を逸脱しない範囲であれば、設計等に応じて種々の変更が可能である。
【符号の説明】
【０１３９】
１００：発電プラント、１０１：発電機、１１０：ボイラ、１１１：節炭器、１１２：火炉水冷壁、１１３：汽水分離器、１１４：過熱器、１１４ａ：一次過熱器、１１４ｂ：二次過熱器、１１５：再熱器、１２０：蒸気タービン、１２１：高圧蒸気タービン、１２２：中圧蒸気タービン、１２３：低圧蒸気タービン、１３０：給水ライン、１３１：復水器、１３２：復水ポンプ、１３３：低圧ヒーター、１３４：脱気器、１３５：給水ポンプ、１３６：高圧ヒーター、
１４０：蓄熱装置、１４０ａ：蓄熱装置、１４０ｂ：蓄熱装置、１４０ｃ：蓄熱装置、１４０ｄ：蓄熱装置、１４０ｅ：蓄熱装置、１４０ｆ：蓄熱装置、１４０ｇ：蓄熱装置、１４１：蓄熱装置、
１５０：制御装置、１５１：制御卓、
１６１：第一配管、１６１ａ：蓄熱配管、１６２：主蒸気管、１６３：低温再熱蒸気管、１６４：高温再熱蒸気管、１６５：高圧バイパス蒸気管、１６６：第一排気蒸気管、１６７：タービンバイパス蒸気管、１６８：第二バイパス蒸気管、
１７１：第一開閉弁、１７２：タービンバイパス開閉弁、１７３：第三開閉弁、１７４：第四開閉弁、１７５：第五開閉弁、１７６：第一塞止弁、１７７：第二塞止弁、
１８１：温度センサ、
２１０：高温蓄熱層（高温層）、２１１：高温熱交換部、２２０：中温蓄熱層（中温層）、２２１：第一中温熱交換部、２２２：第二中温熱交換部、２３０：低温蓄熱層（低温層）、２３１：第一低温熱交換部、２３２：第二低温熱交換部、２３３：第三低温熱交換部、２４１：第一流路、２４２：第二流路、２４３：第三流路、２５１：高温開閉弁、２５２：中温開閉弁、２５３：低温開閉弁、２６１：第一熱回収管、２６２：第二熱回収管、２６３：第三熱回収管、１６４：第四熱回収管、２７１：分岐点、２７２：合流点、
３４２：第二流路、３４３：第三流路、３５２：第一中温開閉弁、３５３：低温開閉弁、３５４：第二中温開閉弁、３７２：分岐点、３７３：分岐点、３７５：合流点、３７６：合流点
【図１】
2020125857.tif 000003
【図２】
2020125857.tif 000004
【図３】
2020125857.tif 000005
【図４】
2020125857.tif 000006
【図５】
2020125857.tif 000007
【図６】
2020125857.tif 000008
【図７】
2020125857.tif 000009
【図８】
2020125857.tif 000010
【図９】
2020125857.tif 000011
【図１０】
2020125857.tif 000012
【図１１】
2020125857.tif 000013
【図１２】
2020125857.tif 000014
【図１３】
2020125857.tif 000015
【図１４】
2020125857.tif 000016
【図１５】
2020125857.tif 000017
【図１６】
2020125857.tif 000018
【図１７】
2020125857.tif 000019